(57)【要約】【課題】  コネクタ電線の折損や破断を防止できるコネクタ電線の保護構造およびコネクタ電線を束ねる方法を提供すること。【解決手段】  本発明のコネクタ電線の保護構造は、コネクタ１０から引き出される複数のコネクタ電線４０の保護構造であり、コネクタ１０が複数のコネクタ電線４０を束ねる電線収束部１１を有している。【選択図】      図１
2005149941.tif 000002
【特許請求の範囲】
【請求項１】
コネクタから引き出される複数のコネクタ電線の保護構造であって、
前記コネクタが、前記複数のコネクタ電線を束ねる電線収束部を有することを特徴とするコネクタ電線の保護構造。
【請求項２】
前記コネクタが、コネクタ本体と、当該コネクタ本体に組付けられるコネクタカバーと、を有し、当該コネクタカバーに前記電線収束部が設けられていることを特徴とする請求項１に記載したコネクタ電線の保護構造。
【請求項３】
前記コネクタカバーが、前記コネクタ本体と前記電線収束部との間の前記コネクタ電線を被覆する電線被覆部を有することを特徴とする請求項２に記載したコネクタ電線の保護構造。
【請求項４】
前記コネクタが、前記コネクタ本体と前記コネクタカバーとを備えた組体を複数結合させていることを特徴とする請求項２または請求項３に記載したコネクタ電線の保護構造。
【請求項５】
コネクタ本体と、当該コネクタ本体から引き出された複数のコネクタ電線と、前記コネクタ本体に取り付け可能な、電線被覆部および電線収束部を含んで一体成形されたコネクタカバーと、を備えたコネクタを準備し、
前記複数のコネクタ電線の前記コネクタ本体からの引き出し部分を仮に束ね、そして、
その仮に束ねられた引き出し部分が前記電線被覆部により覆われるとともに前記電線収束部により束ねられるように、前記コネクタカバーを前記コネクタ本体に取り付けることを特徴とするコネクタ電線を束ねる方法。
【発明の詳細な説明】
【技術分野】
【０００１】
本発明は、コネクタから引き出されるコネクタ電線の保護構造および当該コネクタ電線を束ねる方法に関する。
【背景技術】
【０００２】
従来のコネクタ電線の保護構造の一例として図９に示されるコネクタ電線の保護構造では、コネクタ電線５１の端末に接続された端子（不図示）がコネクタ５２内に収容されており、コネクタ電線５１にはコネクタ５２とは別体のコルゲートチューブ５３およびカバー材５５が被せられ、カバー材５５の縮径部をコルゲートチューブ５３の先端外周に外嵌させた状態でカバー材５５とコルゲートチューブ５３とにテープ５４が巻き付けられ、カバー材５５の拡径部がコネクタ５２に突き当てられて固定されている（例えば、特許文献１参照）。
【特許文献１】特開２００２−１０１５２０号公報（第２−３頁、図１）
【発明の開示】
【発明が解決しようとする課題】
【０００３】
ところで、近年、コネクタ小型・薄型化の要求から、端子自体も小型で且つ狭い間隔（即ち、狭ピッチ）で並べられるようになって、それら端子に接続されるコネクタ電線も細線化が進み、コネクタから引き出された小径の細い電線が束ねられる傾向にある。このようなコネクタに上記コネクタ電線の保護構造を採用した場合、複数本のコネクタ電線５１がコネクタ５２に取り付けられた後、次の工程においてコルゲートチューブ５３がコネクタ電線５１に被せられ、そして次の工程においてカバー材５５がコネクタ電線５１に被せられ、それからテープ５４が巻き付けられるが、特に、複数本のコネクタ電線５１の両端部にコネクタ５２，５２がそれぞれ組付けられている場合、コネクタ電線５１が束ねられていない状態で工程間を移動される時やコネクタ電線５１が束ねられる時等に、狭ピッチでコネクタ５２内に並べられた端子列のうち特に両端に位置する端子に接続されたコネクタ電線５１（換言すれば、並べられた複数本のコネクタ電線５１の列のうち両端に位置するコネクタ電線５１）には引っ張り等によって端子との接続部分に応力が掛かり易く、その応力によって、コネクタ電線５１が折損または破断したり、端子との電気的接続が不安定になったりする可能性が高い。
【０００４】
本発明は、上記事情に鑑みてなされたものであり、その目的は、コネクタ電線の折損や破断を防止できるコネクタ電線の保護構造およびコネクタ電線を束ねる方法を提供することにある。
【課題を解決するための手段】
【０００５】
前述した目的を達成するため、本発明に係るコネクタ電線の保護構造は、請求項１に記載したように、コネクタから引き出される複数のコネクタ電線の保護構造であって、前記コネクタが、前記複数のコネクタ電線を束ねる電線収束部を有することを特徴としている。
【０００６】
ここで、コネクタ電線としては、比較的線径が小さく、小電流を流すのに用いられる、例えば、ＪＡＳＯ  Ｄ  ６１１において規格されている、自動車用極薄肉低圧電線（ＡＶＳＳ）、自動車用超薄肉低圧電線（ＣＡＶＵＳ）、等を例示できる。これらの電線は、外径が略１ｍｍ程度と細いために、曲げ応力や引張り応力に弱い。
【０００７】
請求項１に記載の発明によれば、コネクタ電線が小径であって、曲げ応力や引張り応力に弱くても、電線収束部において束ねられるため、例えコネクタ電線の両端部にコネクタが組付けられたとしても、工程間を移動時等に、コネクタ電線の両端部とコネクタ内に配置された端子との接続部分に応力が掛かり難くなる。従って、曲げ応力や引張り応力によってコネクタ電線が折損または破断することや端子との電気的接続が不安定になることがなくなって、品質の向上を図ることができる。
【０００８】
また、本発明に係るコネクタ電線の保護構造は、請求項２に記載したように、請求項１に記載のコネクタ電線の保護構造において、前記コネクタが、コネクタ本体と、当該コネクタ本体に組付けられるコネクタカバーと、を有し、当該コネクタカバーに前記電線収束部が設けられていることを特徴としている。
【０００９】
請求項２に記載の発明によれば、電線収束部がコネクタカバーに形成されるため、コネクタカバーを成形する際に、電線収束部が同時に形成され、それにより、材料の無駄をなくして生産性の向上を図ることができる。
【００１０】
また、本発明に係るコネクタ電線の保護構造は、請求項３に記載したように、請求項２に記載のコネクタ電線の保護構造において、前記コネクタカバーが、前記コネクタ本体と前記電線収束部との間の前記コネクタ電線を被覆する電線被覆部を有することを特徴としている。
【００１１】
請求項３に記載の発明によれば、電線収束部までの間のコネクタ電線が電線被覆部によって被覆されるため、その部分でのコネクタ電線の保護が強化され、また、コネクタ内に配置された端子との接続部分に曲げ応力を掛けないようにできる。
【００１２】
また、本発明に係るコネクタ電線の保護構造は、請求項４に記載したように、請求項２または請求項３に記載したコネクタ電線の保護構造において、前記コネクタが、前記コネクタ本体と前記コネクタカバーとを備えた組体を複数結合させていることを特徴としている。
【００１３】
請求項４に記載の発明によれば、より多くのコネクタ電線を束ねることができる。この場合、電線収束部は、各組体毎に配置しても、或いは、一個配置してもよく、一個配するようにすれば、束ねられた複数のコネクタ電線によって、剛性をより高くすることができるため、工程間を移動時等に他のコネクタ電線との引っ掛かり等の支障に対処することができる。
【００１４】
前述した目的を達成するため、本発明に係るコネクタ電線を束ねる方法は、請求項５に記載したように、
コネクタ本体と、当該コネクタ本体から引き出された複数のコネクタ電線と、前記コネクタ本体に取り付け可能な、電線被覆部および電線収束部を含んで一体成形されたコネクタカバーと、を備えたコネクタを準備し、
前記複数のコネクタ電線の前記コネクタ本体からの引き出し部分を仮に束ね、そして、
その引き出し部分が前記電線被覆部により覆われるとともに前記電線収束部により束ねられるように、前記コネクタカバーを前記コネクタ本体に取り付けることを特徴としている。
【００１５】
請求項５に記載の発明によれば、コネクタ電線が小径であって、曲げ応力や引張り応力に弱くても、コネクタの組立て時に電線収束部において束ねられるため、例えコネクタ電線の両端部にコネクタが組付けられたとしても、工程間を移動時等に、コネクタ電線の両端部とコネクタ内に配置された端子との接続部分に応力が掛かり難くなる。従って、曲げ応力や引張り応力によってコネクタ電線が折損または破断することや端子との電気的接続が不安定になることがなくなって、品質の向上を図ることができる。また、電線被覆部および電線収束部がコネクタカバーに一体的に形成されているため、コネクタカバーを成形する際に、電線被覆部および電線収束部が同時に形成され、それにより、材料の無駄をなくして生産性の向上を図ることができる。また、コネクタ電線が電線被覆部によって被覆されるため、その部分でのコネクタ電線の保護が強化され、また、コネクタ内に配置された端子との接続部分に曲げ応力を掛けないようにできる。
【発明の効果】
【００１６】
本発明によれば、特に工程上でのコネクタ電線への応力集中を防止でき、コネクタ電線の折損や破断等を防止できる。
【００１７】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１８】
以下、本発明に係る好適な実施形態を図面に基づいて詳細に説明する。
【００１９】
図１は本発明に係るコネクタ電線の保護構造の一実施形態を示すコネクタの全体外観図、図２は図１に示すコネクタのコネクタカバーの単体外観斜視図、図３は図２に示すコネクタカバーを下から見た外観斜視図、図４は図１に示すコネクタのスライドロック部材を下から見た外観斜視図、図５は図１に示すコネクタとコネクタ電線との組付け手順を説明する第１工程におけるコネクタ本体およびコネクタ電線の外観斜視図、図６は図１に示すコネクタとコネクタ電線との組付け手順を説明する第２工程におけるコネクタ本体およびコネクタ電線の外観斜視図、図７は図１に示すコネクタとコネクタ電線との組付け手順を説明する第３工程におけるコネクタおよびコネクタ電線の外観斜視図、そして図８は図１に示すコネクタとコネクタ電線との組付け手順を説明する第４工程におけるコネクタおよびコネクタ電線の外観斜視図である。
【００２０】
図１〜図８に示すように、本発明の一実施形態であるコネクタ電線の保護構造は、コネクタ１０から引き出される複数のコネクタ電線４０の保護構造であって、前記コネクタ１０が、前記複数のコネクタ電線４０を束ねる電線収束部１１を有する。
【００２１】
また、コネクタ１０は、コネクタ本体１２と、当該コネクタ本体１２に組付けられるコネクタカバー１３と、を有している。コネクタカバー１３には前記電線収束部１１が設けられており、このコネクタカバー１３は、コネクタ本体１２と電線収束部１１との間のコネクタ電線４０を被覆する電線被覆部１４を有している。
【００２２】
また、コネクタ１０は、コネクタ本体１２とコネクタカバー１３とを備えた組体（第１組体１６，第２組体１７）を複数結合させたものから構成される。
【００２３】
このように構成された本発明に係るコネクタ電線の保護構造の一実施形態の詳細について以下に説明する。
【００２４】
コネクタ１０は、第１組体１６と、当該第１組体１６に結合される第２組体１７と、コネクタカバー１３と、スライドロック部材１５と、を備え、雌コネクタとして機能するものである。第１組体１６のコネクタ本体１２および第２組体１７のコネクタ本体１２にはそれぞれ２０本のコネクタ電線４０が組付けられる。第１組体１６のコネクタ本体１２と第２組体１７のコネクタ本体１２とは略同じ形状であるため、以後、第１組体１６のコネクタ本体１２を中心に説明し、第２組体１７の説明は簡略化する。
【００２５】
コネクタ本体１２は、コネクタ電線４０の本数に対応した複数（２０個）の端子収容部１８を横方向に並べて配置したものである。各端子収容部１８は、図１中の前方から後方へコネクタ本体１２を貫通している。端子収容部１８内には、複数（２０個）の圧接端子（不図示）が収容されている。コネクタ本体１２の上面には、スライドロック部材１５当接用の当接用突部１９と、スライドロック部材１５支持用の支持用突部２０と、が突出形成され、各端子収容部１８の各隔板２１上にカバー係止突起２２がそれぞれ突出形成されている。また、コネクタ本体１２の下面の両端部には、第２組体１７との組付け用の凹部２３と、凸部２４と、が形成されている。これら凹部２３および凸部２４が、第２組体１７のコネクタ本体１２の上面に配置された凸部２４と凹部２３とに嵌着されることにより、第１組体１６が第２組体１７に一体的に結合される。
【００２６】
コネクタ本体１２は、端子収容部１８の後方から、複数（２０本）のコネクタ電線４０がそれぞれ挿入されて押圧されることにより、各圧接端子の圧接刃によって各コネクタ電線４０の絶縁被覆（図５参照）４１が破断され、各コネクタ電線４０の導体部（図５参照）４２が各圧接端子に電気的に接続される（換言すれば、コネクタ電線４０が圧接端子に圧接される）。
【００２７】
コネクタカバー１３は、コネクタ本体１２の後方側に組付けられる。コネクタカバー１３には、図１中の前方に配置されたコネクタ本体被着部２５の上面にスライドロック部材１５支持用の支持用突部２６（図２参照）が突出形成されており、このコネクタ本体被着部２５は、コネクタ本体１２のカバー係止突起２２に対応して孔状に形成された複数（２０個）の突起受け２７を有する。コネクタカバー１３は、コネクタ本体被着部２５の後方側に電線被覆部１４および電線収束部１１を有する。
【００２８】
電線被覆部１４は、コネクタ本体被着部２５の後端部と電線収束部１１との間に断面視コ字形状をなして形成されており、端子収容部１８内において圧接端子に電気的に接続され且つコネクタ本体１２から後方に引き出された２０本のコネクタ電線４０の上方および側方を覆う。電線被覆部１４は、コネクタ本体１２から引き出されたコネクタ電線４０が鋭角に曲がらないように保持しつつ、コネクタ電線４０を覆うことができる。
【００２９】
電線収束部１１は、電線被覆部１４を介してコネクタ本体被着部２５の後端部から離れた位置において断面視コ字形状をなして形成されており、２０本のコネクタ電線４０を一個所に束ねる機能を有する。電線収束部１１はコネクタ本体被着部２５の後端部から電線被覆部１４を介して離れた位置において２０本のコネクタ電線４０を一個所に束ねるため、コネクタ電線４０が鋭角に曲げられずに束ねられる。また、電線収束部１１は、コネクタ電線４０が小径であって、曲げ応力や引張り応力に弱くても、コネクタ電線４０とコネクタ本体１２内に配置された圧接端子との接続部分に曲げ応力を掛けなくするとともに、両端側のコネクタ電線４０に引張り応力を掛けなくすることができる。
【００３０】
コネクタ本体被着部２５、電線収束部１１および電線被覆部１４は、コネクタカバー１３を成形する際同時に形成され、コネクタカバー１３に一体に形成されているため、材料の無駄をなくして生産性の向上を図ることができる。コネクタカバー１３は、コネクタ本体被着部２５から電線収束部１１までの間のコネクタ電線４０を覆う電線被覆部１４を有するため、その部分でのコネクタ電線４０の保護を強化することができ、コネクタ本体１２内に配置された圧接端子との接続部分に対して曲げ応力を確実に掛けなくすることができる。
【００３１】
スライドロック部材１５は、コネクタ本体１２と比べて小さい外形の薄い板形状に形成されており、コネクタ本体１２上の支持用突部２０と、コネクタカバー１３上の支持用突部２６とにより、コネクタ本体１２の横方向に移動可能に支持されている。スライドロック部材１５は、下面に形成された弾性片２８（図４参照）がコネクタ本体１２上の当接用突部１９に当接するまで移動可能であり、コネクタ１０と相手方コネクタ（不図示）との嵌合状態と半嵌合状態とを検出するのに用いられる。
【００３２】
図２に示すように、コネクタカバー１３は、電線被覆部１４および電線収束部１１が、コネクタ本体被着部２５の後端部から突出して配置されている。そして、コネクタ本体被着部２５の下面には、各端子収容部１８内に収容されている各コネクタ電線４０を保持するための保持突起２９が各端子収容部１８に対応して形成されている。
【００３３】
図３に示すように、コネクタカバー１３には、各保持突起２９の後方に、各端子収容部１８から電線被覆部１４へと引き出される各コネクタ電線４０をガイドするためのガイド突起３０が各端子収容部１８に対応して形成されている。また、電線収束部１１の端部は開放されているため、電線収束部１１において束ねられたコネクタ電線４０が引き出されるが、この部分において、必要に応じてテープ巻き等によりコネクタ電線４０を結束してもよい。
【００３４】
図４に示すように、スライドロック部材１５は、下面に弾性片２８が形成されており、この弾性片２８に蓄積された弾性反発力によって弾性的に移動する。また、スライドロック部材１５の下面には、コネクタ本体１２上の支持用突部２０に挿着される凹溝３１と、コネクタカバー１３上の支持用突部２６に挿着される凹溝３２と、が形成されている。
【００３５】
コネクタ電線４０は、比較的線径が小さく、小電流を流すのに用いられる、例えば、ＪＡＳＯ  Ｄ  ６１１において規格されている例えば、自動車用極薄肉低圧電線（ＡＶＳＳ）、自動車用超薄肉低圧電線（ＣＡＶＵＳ）、等である。コネクタ電線４０は、外径が、略１ｍｍ程度と細いため、曲げ応力や引張り応力に弱い。
【００３６】
次に、図５，図６，図７，図８を参照して、コネクタ電線の保護構造におけるコネクタ１０とコネクタ電線４０との組付工程（コネクタ電線４０を束ねる方法も含む。）について説明する。尚、ここでは、第１組立体１６についてのみ説明するが、第２組立体１７も同様にして組付けられる。
【００３７】
図５に示す第１工程において、コネクタ本体１２の端子収容部１８に対して、コネクタ電線４０がそれぞれ挿入されて押圧されることにより、各圧接端子の圧接刃によって各コネクタ電線４０の絶縁被覆４１が貫かれて、各コネクタ電線４０の導体部４２が各圧接端子に電気的に接続される。
【００３８】
次に、図６に示す第２工程において、コネクタ本体１２から後方に引き出された２０本のコネクタ電線４０における引き出し部分４０Ａが、コネクタ本体１２から離れた位置で仮に束ねられる。仮に束ねられた２０本のコネクタ電線４０の引き出し部分４０Ａは、コネクタカバー１３が装着されていないので、本収束はされていない。
【００３９】
次に、図７に示す第３工程において、コネクタカバー１３がコネクタ本体１２に組付けられる。コネクタカバー１３は、コネクタ本体１２から後方に引き出されていて仮の収束状態にある２０本のコネクタ電線４０の引き出し部分４０Ａを電線被覆部１４で覆うとともに電線収束部１１により収束させながら、コネクタ本体１２の各カバー係止突起２２に各突起受け２７が嵌入されることにより、コネクタ本体１２に一体的に結合される。
【００４０】
次に、図８に示す第４工程において、コネクタ本体１２とコネクタカバー１３上にスライドロック部材１５が装着されることにより、第１組体１６の組付けが完了する。
【００４１】
そして、第４工程の後に、上記第１，第２，第３工程と同様に組付けられた第２組体１７が第１組体１６に対して上下に反転した状態で、第１組体１６のコネクタ本体１２の凹部２３，凸部２４が、第２組体１７のコネクタ本体１２の凸部２４，凹部２３に嵌着されることにより、第１，第２組体１６，１７が一体的に結合されて図１に示すコネクタ１０が組立てられる。コネクタ１０は、２０本のコネクタ電線４０を組付けた第１組体１６と、同じく２０本のコネクタ電線４０を組付けた第２組体１７とからなるため、コネクタ電線４０の本数を、より多く束ねることができる。このとき、電線収束部１１は、各組体１６，１７毎に配置しても、或いは、一個配置してもよく、一個配するようにすれば、束ねられた複数のコネクタ電線４０によって、剛性を、より高くすることができるため、工程間を移動時等に他のコネクタ電線との引っ掛かり等の支障に対処することができる。コネクタカバー１３の電線収束部１１から引き出されたコネクタ電線４０は、コネクタ１０内に配置された圧接端子との接続部分に曲げ応力が掛からないように引き出されているため、例えばコルゲートチューブ等によって保護する際にも、折損や破断することがない。
【００４２】
本実施形態のコネクタ電線の保護構造によれば、コネクタ１０から引き出されたコネクタ電線４０の引き出し部分４０Ａが電線収束部１１によって束ねられるので、コネクタ電線４０が小径であって、曲げ応力や引張り応力に弱くても、電線収束部１１において束ねられるため、例えコネクタ電線４０の両端部にコネクタ１０，１０が組付けられたとしても、工程間を移動時等に、コネクタ電線４０の両端部とコネクタ１０内に配置された圧接端子との接続部分に応力が掛かり難くなる。従って、曲げ応力や引張り応力によってコネクタ電線４０が折損または破断することや圧接端子との電気的接続が不安定になることがなくなって、品質の向上を図ることができる。
【００４３】
また、本実施形態のコネクタ電線の保護構造によれば、電線収束部１１がコネクタカバー１３に形成されるため、コネクタカバー１３を成形する際に、電線収束部１１が同時に形成され、それにより、材料の無駄をなくして生産性の向上を図ることができる。
【００４４】
また、本実施形態のコネクタ電線の保護構造によれば、電線収束部１１までの間のコネクタ電線４０の引き出し部分４０Ａが電線被覆部１４によって被覆されるため、その部分でのコネクタ電線４０の保護が強化され、また、コネクタ１０内に配置された圧接端子との接続部分に曲げ応力を掛けないようにできる。
【００４５】
また、本実施形態のコネクタ電線の保護構造によれば、コネクタ１０がコネクタ本体１２とコネクタカバー１３とを備えた組体（第１組体１６，第２組体１７）を複数結合させたものから構成されるので、より多くのコネクタ電線４０を束ねることができる。
【００４６】
また、本実施形態におけるコネクタ電線を束ねる方法によれば、コネクタ電線４０が小径であって、曲げ応力や引張り応力に弱くても、コネクタ１０の組立て時に電線収束部１１において束ねられるため、例えコネクタ電線４０の両端部にコネクタ１０，１０が組付けられたとしても、工程間を移動時等に、コネクタ電線４０の両端部とコネクタ１０内に配置された端子との接続部分に応力が掛かり難くなる。従って、曲げ応力や引張り応力によってコネクタ電線４０が折損または破断することや端子との電気的接続が不安定になることがなくなって、品質の向上を図ることができる。また、電線被覆部１４および電線収束部１１がコネクタカバー１３に一体的に形成されているため、コネクタカバー１３を成形する際に、電線被覆部１４および電線収束部１１が同時に形成され、それにより、材料の無駄をなくして生産性の向上を図ることができる。また、コネクタ電線４０が電線被覆部１４によって被覆されるため、その部分でのコネクタ電線４０の保護が強化され、また、コネクタ内に配置された端子との接続部分に曲げ応力を掛けないようにできる。
【００４７】
尚、本発明に係るコネクタ電線の保護構造は、上述した実施の形態例に限定されるものではなく、適宜な変形、改良、等が可能である。
【００４８】
例えば、電線収束部におけるコネクタ電線の収束を強化するために、上述した第２工程において、テープ巻き等でコネクタ電線を束ねてもよい。
【００４９】
また、コネクタ本体の端子収容部、コネクタ電線、等の数は、このコネクタが用いられる回路構成に準じて適宜選択されるべきであるが、図示した２０を超えた数であっても、２０以下であってもよい。
【００５０】
また、コネクタ本体とコネクタカバーとの結合方法については、コネクタ本体のカバー係止突起とコネクタカバーの突起受けとに代えて、コネクタ本体およびコネクタカバーを一体的に覆うバンド状のものや、両端部に形成したロック機構等を適用してもよい。
【図面の簡単な説明】
【００５１】
【図１】本発明に係るコネクタ電線の保護構造の一実施形態を示すコネクタの全体外観図である。
【図２】図１に示すコネクタのコネクタカバーの単体外観斜視図である。
【図３】図２に示すコネクタカバーを下から見た外観斜視図である。
【図４】図１に示すコネクタのスライドロック部材を下から見た外観斜視図である。
【図５】図１に示すコネクタとコネクタ電線との組付け手順を説明する第１工程におけるコネクタ本体およびコネクタ電線の外観斜視図である。
【図６】図１に示すコネクタとコネクタ電線との組付け手順を説明する第２工程におけるコネクタ本体およびコネクタ電線の外観斜視図である。
【図７】図１に示すコネクタとコネクタ電線との組付け手順を説明する第３工程におけるコネクタおよびコネクタ電線の外観斜視図である。
【図８】図１に示すコネクタとコネクタ電線との組付け手順を説明する第４工程におけるコネクタおよびコネクタ電線の外観斜視図である。
【図９】従来のコネクタ電線の保護構造の外観斜視図である。
【符号の説明】
【００５２】
１０  コネクタ
１１  電線収束部
１２  コネクタ本体
１３  コネクタカバー
１４  電線被覆部
１６  第１組体（組体）
１７  第２組体（組体）
４０  コネクタ電線
【図１】
2005149941.tif 000003
【図２】
2005149941.tif 000004
【図３】
2005149941.tif 000005
【図４】
2005149941.tif 000006
【図５】
2005149941.tif 000007
【図６】
2005149941.tif 000008
【図７】
2005149941.tif 000009
【図８】
2005149941.tif 000010
【図９】
2005149941.tif 000011